(57)【要約】【課題】一般の乗用車等に搭載可能な小型の通信局装置１００を用いて、衛星局など遠距離に存在する基地局に対して、大容量のデータを無線送信する。【解決手段】情報入力部１２１が入力し、符号化部１２２が符号化した、基地局に対して送信すべきデータを、データ分割部１３１が分割して、分割データとしてデータ記憶部１４１が記憶する。対基地局送信部１５１は基地局に対し、小容量データの送信しかできない遠距離送信装置を用いて分割データを送信する。対通信局送信部１６１は他の通信局装置に対し、大容量データの送信が可能な近距離送信装置を用いて、基地局に対して未送信の分割データを送信する。他の通信局装置では、データ受信部１７１が分割データを受信して、データ記憶部１４１が記憶し、対基地局送信部１５１が基地局に対して送信する。【選択図】図３
2007060450.tif 000002
【特許請求の範囲】
【請求項１】
基地局装置と通信し、上記基地局装置に対する送信よりも速い通信速度で他の通信局装置と通信する通信局装置において、
上記基地局装置に対して送信すべき複数のデータのうち、少なくとも１つのデータを、他の通信局装置に対して対通信局送信装置を用いて送信する対通信局送信部と、
上記複数のデータのうち、少なくとも１つのデータを、上記基地局装置に対して対基地局送信装置を用いて送信する対基地局送信部と、
上記対基地局送信部が基地局装置に対して送信するデータを示す情報を、他の通信局装置に対して対通信局送信装置を用いて送信する送信済情報送信部と、
上記複数のデータのうち、他の通信局装置が基地局装置に対して送信するデータを示す情報を、他の通信局装置から受信装置を用いて受信する送信済情報受信部と、
を有することを特徴とする通信局装置。
【請求項２】
基地局装置と通信し、上記基地局装置に対する送信よりも速い通信速度で他の通信局装置と通信する通信局装置において、
上記基地局装置に対して送信すべき複数のデータのうち、少なくとも１つのデータを、他の通信局装置から対通信局送信装置を用いて受信するデータ受信部と、
上記データ受信部が受信したデータのうち、少なくとも１つのデータを、上記基地局装置に対して対基地局送信装置を用いて送信する対基地局送信部と、
上記対基地局送信部が基地局装置に対して送信するデータを示す情報を、他の通信局装置に対して対通信局送信装置を用いて送信する送信済情報送信部と、
上記複数のデータのうち、他の通信局装置が基地局装置に対して送信するデータを示す情報を、上記他の通信局装置から受信装置を用いて受信する送信済情報受信部と、
を有することを特徴とする通信局装置。
【請求項３】
上記通信局装置は、更に、
上記複数のデータのそれぞれについて、上記基地局装置に対して送信済であるか否かを示す送信済フラグを記憶装置を用いて記憶するフラグ記憶部と、
上記対基地局送信部が基地局装置に対して送信するデータについて、上記フラグ記憶部が記憶した送信済フラグを、送信済であることを示す内容に書き換える第一のフラグ書換部と、
上記送信済情報受信部が他の通信局装置から受信した情報に基づいて、上記他の通信局装置が基地局装置に対して送信するデータを判別し、判別したデータについて、上記フラグ記憶部が記憶した送信済フラグを、送信済であることを示す内容に書き換える第二のフラグ書換部と、
上記フラグ記憶部が記憶した送信済フラグに基づいて、上記複数のデータのうち、上記基地局装置に対して送信済でないデータを選択し、上記対基地局送信部に送信させるデータ選択部
を有することを特徴とする請求項１または請求項２に記載の通信局装置。
【請求項４】
上記送信済情報送信部は、上記フラグ記憶部が記憶した送信済フラグを他の通信局装置に対してい送信することを特徴とする請求項３に記載の通信局装置。
【請求項５】
上記通信局装置は、更に、
原データを入力し、入力した原データを分割して複数の分割データとし、分割した複数の分割データの順序を示す分割番号を分割データに付加して、上記基地局装置に対して送信すべき複数のデータとするデータ分割部
を有することを特徴とする請求項１に記載の通信局装置。
【請求項６】
上記通信局装置は、更に、
情報を入力装置を用いて入力する情報入力部と、
上記情報入力部が入力した情報を符号化して、上記データ分割部に入力する原データとする符号化部と、
を有することを特徴とする請求項５に記載の通信局装置。
【請求項７】
上記符号化部は、上記情報入力部が入力した情報を、消失訂正符号に符号化することを特徴とする請求項６に記載の通信局装置。
【発明の詳細な説明】
【技術分野】
【０００１】
本発明は、大容量のデータを、通信速度の遅い通信路で伝送する技術に関する。
【背景技術】
【０００２】
無線通信において様々な伝送方式が用いられ、各用途に応じた方式が採用されている。
【０００３】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１ａ／ｂ／ｇなどで代表される無線ＬＡＮ（Ｌｏｃａｌ  Ａｒｅａ  Ｎｅｔｗｏｒｋ）、Ｂｌｕｅｔｏｏｔｈ（登録商標）、自動車向けの有料道路自動料金収受システム（ＥＴＣ：Ｅｌｅｃｔｒｏｎｉｃ  Ｔｏｌｌ  Ｃｏｌｌｅｃｔｉｏｎ、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人電波産業会）−ＳＴＤ（Ｓｔａｎｄａｒｄ：標準規格）−Ｔ５５）やＤＳＲＣ（Ｄｅｄｉｃａｔｅｄ  Ｓｈｏｒｔ  Ｒａｎｇｅ  Ｃｏｍｍｕｎｉｃａｔｉｏｎｓ：狭域通信）（ＡＲＩＢ−ＳＴＤ−Ｔ７５）などの近距離通信システムは、数ｍから数百ｍ程度の距離を比較的高い伝送容量の回線で通信を行なうシステムである。また、特許文献１にあるような車と車が直接通信を行なう車車間通信も様々な検討が行なわれている。
【０００４】
また、「Ｓバンドを用いる国内移動衛星通信システム標準規格」（ＡＲＩＢ−ＳＴＤ−Ｔ４９）で代表される移動体衛星通信などの遠距離通信システムは、日本全国からの通信が可能である。
【０００５】
また、「ＨＤＴＶ（Ｈｉｇｈ  Ｄｅｆｉｎｉｔｉｏｎ  ＴｅｌｅＶｉｓｉｏｎ）デジタルＳＮＧ（Ｓａｔｅｌｌｉｔｅ  Ｎｅｗｓ  Ｇａｔｈｅｒｉｎｇ）伝送システム」（ＡＲＩＢ−ＳＴＤ−Ｂ２６）などの遠距離・大容量伝送システムもある。
【特許文献１】特開２００５−１５０８４８号公報
【特許文献２】特開２００４−２７４４１５号公報
【特許文献３】特開２００３−３３２９６３号公報
【発明の開示】
【発明が解決しようとする課題】
【０００６】
上述した近距離通信システムでは、比較的大容量の信号を通信局装置間で通信可能であるが、伝送距離が短く、遠隔地に（同容量の）信号を伝送することはできない。
【０００７】
上述した遠距離通信システムでは、伝送可能な情報量が限られており、大容量情報の伝送は出来ない。
例えば、一般の乗用車に実装可能な衛星通信装置も実用されているが、伝送できる情報量には限界があり大きな情報をリアルタイムで伝送するには限界がある。
【０００８】
上述した遠距離・大容量伝送システムは、専用の特殊車両を用いたもので、一般乗用車への適用は困難である。電波を用いる無線通信システムにおいては、伝搬距離に応じて電波強度が減衰する電波の特性があり、大容量通信にはそのデータ量に応じた電力が必要であるという伝送理論上回避しがたい制約があるため、遠距離・大容量伝送システムに用いる通信局装置には、大電力送信ができる大型の装置が必要だからである。
例えば、従来の衛星通信で大容量の情報（写真、動画など）を伝送するには大型の衛星通信機器を搭載した専用の地球局が必要であり、目的の情報があるところまで専用の地球局を運搬して伝送する必要がある。
【０００９】
本発明は、例えば、上記のような課題を解決するためになされたもので、一般の乗用車等にも搭載可能な小型の通信局装置を用いて、通信衛星などに対する遠距離・大容量の情報伝送を可能にするものである。
【課題を解決するための手段】
【００１０】
本発明にかかる通信局装置は、
基地局装置と通信し、上記基地局装置に対する送信よりも速い通信速度で他の通信局装置と通信する通信局装置において、
上記基地局装置に対して送信すべき複数のデータのうち、少なくとも１つのデータを、他の通信局装置に対して対通信局送信装置を用いて送信する対通信局送信部と、
上記複数のデータのうち、少なくとも１つのデータを、上記基地局装置に対して対基地局送信装置を用いて送信する対基地局送信部と、
上記対基地局送信部が基地局装置に対して送信するデータを示す情報を、他の通信局装置に対して対通信局送信装置を用いて送信する送信済情報送信部と、
上記複数のデータのうち、他の通信局装置が基地局装置に対して送信するデータを示す情報を、他の通信局装置から受信装置を用いて受信する送信済情報受信部と、
を有することを特徴とする。
【発明の効果】
【００１１】
本発明によれば、例えば、基地局装置に対して送信すべきデータを他の通信局装置に対して送信するので、複数の通信局装置が並行して基地局装置に対してデータを送信することができ、全体の送信時間を短縮することができるという効果を奏する。
そのため、大容量データの遠距離伝送をするために、個々の通信局装置が大きな発電・蓄電能力、アンテナを装備する必要がなく、設備コストが削減できる。
【発明を実施するための最良の形態】
【００１２】
実施の形態１．
実施の形態１を、図１〜図１１を用いて説明する。
図１は、この実施の形態における、通信システム８００の全体構成の一例を示すシステム構成図である。
【００１３】
情報収集局１００ａ（通信局装置の一例）は、例えば、事故車両などの情報源９０１に近接し、カメラ、マイク、センサーなどにより情報源９０１から情報を収集する。
情報収集局１００ａは、収集した情報を、衛星局３００を介して基地局２００（基地局装置の一例）に対して送信する。
また、情報収集局１００ａは、収集した情報を、近距離通信システムを用いて近隣移動局１００ｂ，ｃに対して伝送（送信）し、情報を共有する。
【００１４】
近隣移動局１００ｂ，ｃ（通信局装置の一例）は、近距離通信システムによって、情報収集局１００ａが収集した情報を受信し、情報を共有する。
近隣移動局１００ｂ，ｃは、共有した情報を、衛星局３００を介して基地局２００に対して送信する。
また、近隣移動局１００ｂ，ｃは、更に、共有した同じ情報を順次、近隣の移動局（図示せず）に対して伝達（送信）していき、情報を共有する移動局の範囲を拡大する。
【００１５】
なお、この実施の形態では、情報収集局１００ａ、近隣移動局１００ｂ，ｃの一例として、自動車に搭載した通信局で構成した場合のシステムの例を挙げているが、例えば、携帯通信端末（携帯電話など）でもよい。また、固定局であってもよい。
【００１６】
衛星局３００は、情報収集局１００ａや近隣移動局１００ｂ，ｃから伝送される信号を中継し、基地局２００に送信する。
情報収集局１００ａや近隣移動局１００ｂ，ｃが有する送信装置は出力が小さいので、衛星局３００のような遠距離に対して無線通信する場合には、通信速度が遅くなる。したがって、情報収集局１００ａや近隣移動局１００ｂ，ｃから、衛星局３００を介して基地局２００に送られる通信は、小容量通信とならざるを得ない。
したがって、衛星局３００は、情報収集局１００ａや近隣移動局１００ｂ，ｃが送信する小容量通信を、基地局２００に中継する。
【００１７】
基地局２００は、情報収集局１００ａや近隣移動局１００ｂ，ｃが送信し、衛星局３００が中継した信号を受信する。基地局２００は、受信した小容量情報から、情報収集局１００ａが収集した大容量情報を復元し、再生する。
これにより、情報源９０１から情報収集局１００ａが収集した情報を、基地局２００が収集することができる。
【００１８】
情報収集局１００ａは、収集した情報を複数の部分に分割する。情報収集局１００ａは、分割した情報のうち、どの部分を自分で基地局２００に対して送信するかを、近隣移動局１００ｂ，ｃに通知する。
近隣移動局１００ｂ，ｃも、分割した情報のうち、どの部分を自分で基地局２００に対して送信するかを、情報収集局１００ａや他の近隣移動局１００ｂ，ｃに通知する。
これにより、どの部分が送信済であり、どの部分が未送信であるかがわかるので、情報収集局１００ａや近隣移動局１００ｂ，ｃは、どの部分を基地局２００に対して送信すればよいかわかる。
また、情報収集局１００ａや近隣移動局１００ｂ，ｃは、自分が基地局２００に対して送信する部分を、他の情報収集局１００ａや近隣移動局１００ｂ，ｃが送信しようとしているという通知を受けた場合には、重複がなくなるよう伝送（送信）する部分を変更してもよい。また、重複がなければ、そのまま基地局２００に対して小容量通信をする。
【００１９】
このようにして、情報収集局１００ａや近隣移動局１００ｂ，ｃは、これまでに送信された部分を順次通知しあい、最終的に未送信部分がなくなれば、分割された大容量データがすべて、基地局２００に対して伝送（送信）される。
【００２０】
情報収集局１００ａや近隣移動局１００ｂ，ｃが送信する小容量通信の信号には、情報収集局１００ａが収集した情報全体のうち、どの部分の信号であるかを示すフラグ（分割番号）がついている。
基地局２００は、情報収集局１００ａや近隣移動局１００ｂ，ｃから収集（受信）した信号を、そのフラグ（分割番号）にしたがい、正しく並べ替えて、もとの大容量データを復元する。
【００２１】
なお、この例では、情報収集局１００ａや近隣移動局１００ｂ，ｃと、基地局２００とが衛星局３００を介して通信するが、情報収集局１００ａや近隣移動局１００ｂ，ｃと、基地局２００とが直接通信してもよい。
また、ここでいう「基地局」には、衛星局も含まれる。
衛星局３００が基地局２００としての機能を有していてもよい。
【００２２】
図２は、この実施の形態における通信局装置１００（情報収集局１００ａ、近隣移動局１００ｂ，１００ｃ）のハードウェア構成の一例を示すハードウェア構成図である。
通信局装置１００は、ＣＰＵ１０１（Ｃｅｎｔｒａｌ  Ｐｒｏｃｅｓｓｉｎｇ  Ｕｎｉｔ：中央制御装置）、カメラ１０２（入力装置の一例）、マイク１０３（入力装置の一例）、メモリ１０４（記憶装置の一例）、遠距離送信装置１０５（対基地局送信装置の一例）、近距離送信装置１０６（対通信局送信装置の一例）、近距離受信装置１０７（受信装置の一例）を有する。
【００２３】
ＣＰＵ１０１は、メモリ１０４が記憶したプログラム等を実行することにより、通信局装置１００の全体の動作を制御する。
【００２４】
カメラ１０２、マイク１０３は、映像、音声などの情報を、デジタル信号として収集する。
【００２５】
メモリ１０４は、ＣＰＵ１０１が実行するプログラムを記憶する。また、カメラ１０２、マイク１０３が収集した情報を蓄積する蓄積装置としても機能する。そのほか、ＣＰＵ１０１が実行中のプログラムに必要なデータなどを記憶する。
【００２６】
遠距離送信装置１０５は、衛星局３００に対して情報を送信する。
近距離送信装置１０６は、他の通信局装置に対して情報を送信する。
近距離受信装置１０７は、他の通信局装置が送信した情報を受信する。
【００２７】
遠距離送信装置１０５と衛星局３００との間の通信速度は遅い（小容量通信）。これに対して、近距離送信装置１０６、近距離受信装置１０７と、他の通信局装置との間の通信速度は速い（大容量通信）。
【００２８】
なお、通信局装置１００が近隣移動局１００ｂ，ｃである場合には、カメラ１０２、マイク１０３は、なくてもよい。
【００２９】
図３は、この実施の形態における通信局装置１００の機能ブロックの構成の一例を示すブロック構成図である。
通信局装置１００は、データ選択部１１１、第一のフラグ書換部１１２、第二のフラグ書換部１１３、情報入力部１２１、符号化部１２２、データ分割部１３１、フラグ生成部１３２、データ記憶部１４１、フラグ記憶部１４２、対基地局送信部１５１、対通信局送信部１６１、フラグ送信部１６２（送信済情報送信部の一例）、データ受信部１７１、フラグ受信部１７２（送信済情報受信部の一例）を有する。
【００３０】
情報入力部１２１は、カメラ１０２、マイク１０３などを用いて、情報源９０１からの情報を入力（収集）する。
【００３１】
符号化部１２２は、情報入力部１２１が入力した情報を符号化し、原データ（大容量データ）とする。例えば、カメラ１０２が撮影した映像情報を、ＭＰＥＧ（Ｍｏｖｉｎｇ  Ｐｉｃｔｕｒｅ  Ｅｘｐｅｒｔｓ  Ｇｒｏｕｐ）などの方式により、圧縮し、符号化する。
【００３２】
データ分割部１３１は、符号化部１２２が符号化した原データを分割し、複数の分割データ（小容量データ）とする。
例えば、符号化部１２２が符号化した原データが１秒あたり６Ｍ（メガ）ビットであり、遠距離送信装置１０５が衛星局３００に対して情報を送信する速度が６ｋｂｐｓ（キロビットパーセカンド）である場合、この情報をリアルタイムで送信するために、データ分割部１３１は、原データを１０００分割する。
なお、分割数はもっと多くてもよいし、リアルタイム送信の必要がない場合には、もっと少なくてもよい。
あるいは、分割後のデータ長が、あらかじめ定めた所定の長さとなるように、分割してもよい。
【００３３】
データ分割部１３１は、原データを分割する際、分割したデータの順序がわかるように、分割番号を付加する。これは、基地局２００が受信後、大容量データを復元するために用いるものである。
【００３４】
フラグ生成部１３２は、データ分割部１３１が分割した分割データが、送信済であるか否かを示すフラグ（送信済フラグ）を生成する。フラグは、例えば、１ビットのデータであり、未送信の場合は「１」、送信済の場合は「０」とする。
この段階で、分割データはすべて未送信であるから、フラグ生成部１３２が生成するフラグは、すべて「１」である。
【００３５】
データ記憶部１４１は、データ分割部１３１が分割した分割データを、メモリ１０４を用いて記憶する。
なお、データ記憶部１４１は、基地局２００に対して送信済となった分割データを削除してもよい。これにより、メモリ１０４の記憶領域を有効に利用することができる。あるいは、分割データの再送が必要となる場合を考慮して、送信が完了してから、所定の時間経過したのちに、削除することとしてもよい。
【００３６】
なお、通信局装置１００が近隣移動局１００ｂ，ｃである場合には、情報入力部１２１、符号化部１２２、データ分割部１３１、フラグ生成部１３２は、なくてもよい。
フラグ記憶部１４２は、フラグ生成部１３２が生成した送信済フラグを、メモリ１０４を用いて記憶する。
【００３７】
データ選択部１１１は、データ記憶部１４１が記憶した分割データのなかから、フラグ記憶部１４２が記憶した送信済フラグが未送信（＝「１」）であるものを選択する。未送信の分割データが複数ある場合には、そのなかのどれを選ぶこととしてもよい。例えば、分割番号が一番小さい分割データを選択してもよいし、逆に分割番号が一番大きい分割データを選択してもよい。あるいは、ランダムに選択することとしてもよい。また、通信局装置ごとに異なる選択方法を採ることにより、他の通信局装置と同じ分割データを選択しないようにしてもよい。例えば、通信局装置の製造番号を所定の数（例えば、２５６）で割った余りを計算し、分割番号が小さい順に、その余り番目の分割データを選択するなどの方法が考えられる。
【００３８】
第一のフラグ書換部１１２は、データ選択部１１１が選択した分割データに対応する送信済フラグを、送信済（＝「０」）に書き換えて、フラグ記憶部１４２に記憶させる。
【００３９】
対基地局送信部１５１は、データ選択部１１１が選択した分割データを、遠距離送信装置１０５を用いて送信する（小容量通信）。送信した分割データは、衛星局３００を介して、基地局２００に到達する。
【００４０】
対通信局送信部１６１は、データ記憶部１４１が記憶した分割データを、近距離送信装置１０６を用いて送信する。送信した分割データは、他の通信局装置１００（情報収集局１００ａや近隣移動局１００ｂ，ｃ）が受信する。
なお、対通信局送信部１６１が送信するデータは、分割データでなくともよい。例えば、あらかじめ分割の方式を各通信局装置で統一しておき、対通信局送信部１６１は、分割前の原データを送信する。これを受信した他の通信局装置が、受信した原データから分割データを生成してもよい。
【００４１】
フラグ送信部１６２は、フラグ記憶部１４２が記憶した送信済フラグ（送信済情報）を、近距離送信装置１０６を用いて送信する。送信した送信済フラグは、他の通信局装置１００が受信する。
【００４２】
なお、フラグ送信部１６２が送信する送信する送信済情報は、送信済フラグ５４１でなくてもよい。例えば、各分割データ５３０の送信済フラグ５４１を分割番号５３１の順に並べたものであってもよい。あるいは、これを何らかの方法で圧縮した情報であってもよい。また、分割データ５３０の分割番号５３１と、その分割データ５３０の送信済フラグ５４１との組であってもよい。あるいは、分割データ５３０そのものと送信済フラグ５４１との組であってもよい。
【００４３】
データ受信部１７１は、他の通信局装置１００の対通信局送信部１６１が送信した分割データを受信する。受信した分割データは、データ記憶部１４１に記憶させる。
【００４４】
フラグ受信部１７２は、他の通信局装置１００のフラグ送信部１６２が送信した送信済フラグを受信する。
【００４５】
第二のフラグ書換部１１３は、フラグ受信部１７２が受信した送信済フラグに基づいて、他の通信局装置１００が基地局２００に対して送信した分割データを判別し、判別した分割データについて、フラグ記憶部１４２が記憶した送信済フラグを送信済（＝「０」）に書き換える。
具体的には、例えば、フラグ記憶部１４２が記憶した送信済フラグと、フラグ受信部１７２が受信した送信済フラグとのＡＮＤ（論理積）をとって、最新の送信済フラグとして、フラグ記憶部１４２に記憶させるなどの方法が考えられる。
【００４６】
なお、通信局装置１００が情報収集局１００ａである場合には、データ受信部１７１は、なくてもよい。
【００４７】
また、通信局装置１００が近隣移動局１００ｂ，ｃである場合には、対通信局送信部１６１は、なくてもよい。しかし、情報収集局１００ａと直接近距離通信できない近隣移動局に対し、リレー式に分割データを渡すため、対通信局送信部１６１があるほうが好ましい。
【００４８】
次に、動作の詳細について説明する。
【００４９】
図４は、この実施の形態において、通信局装置１００の情報入力工程におけるデータ処理の流れの一例を示す図である。
情報入力工程は、情報収集局１００ａが情報源９０１から情報を収集し、基地局２００に対して送信すべきデータを生成する工程である。
【００５０】
情報入力部１２１は、情報源９０１からの情報を、カメラ１０２、マイク１０３などを用いて収集・入力し、映像情報・音声情報５１０とする。
符号化部１２２は、情報入力部１２１が入力した映像情報・音声情報５１０を符号化し、大容量データ５２０（原データの一例）とする。
データ分割部１３１は、符号化部１２２が符号化した大容量データ５２０を分割し、小容量データ５３２とし、分割番号５３１を付加して、分割データ５３０とする。
フラグ生成部１３２は、送信済フラグ５４１を生成する。
データ分割部１３１が分割した分割データ５３０と、フラグ生成部１３２が生成した送信済フラグ５４１とは、データ記憶部１４１及びフラグ記憶部１４２がメモリ１０４に記憶する。
【００５１】
この例では、分割番号５３１の最上位ビットを送信済フラグとして利用している。しかし、送信済フラグ５４１は、分割データ５３０とは別に、ひとまとまりのテーブルとして、フラグ記憶部１４２がメモリ１０４に記憶してもよい。
【００５２】
図５は、この実施の形態において、通信局装置１００のデータ共有工程（対通信局送信工程）における制御の流れの一例を示すフローチャート図である。
データ共有工程は、情報収集局１００ａが収集した情報から生成したデータを、近隣移動局１００ｂ，ｃと共有する工程である。
【００５３】
Ｓ１１において、通信局装置１００の対通信局送信部１６１は、近隣の通信可能な通信局装置１００のそれぞれに対して、以下の処理をおこなう。
例えば、対通信局送信部１６１は、近距離送信装置１０６を用いてビーコンを送信し、送信したビーコンを他の通信局装置１００のデータ受信部１７１が、近距離受信装置１０７を用いて受信する。
ビーコンを受信した通信局装置１００は、それに対する応答を、データ受信部１７１が近距離送信装置１０６を用いて送信する。
送信した応答を、ビーコンを送信した通信局装置１００の対通信局送信部１６１が、近距離受信装置１０７を用いて受信する。
このようにして発見した通信可能な通信局装置１００のそれぞれに対して、以下の処理をおこなう。
【００５４】
Ｓ１２において、通信局装置１００の対通信局送信部１６１は、データ記憶部１４１が記憶している分割データのうち、相手の通信局装置１００が記憶していない分割データがあるかを判断する。
例えば、対通信局送信部１６１は、近距離送信装置１０６を用いて、データ記憶部１４１の記憶している分割データのリストを送信する。
送信したリストを、相手の通信局装置１００の近距離受信装置１０７が受信する。リストを受信した通信局装置１００は、そのリストの中に自己のデータ記憶部１４１が記憶していない分割データがあれば、そのリストを作成し、近距離送信装置１０６が送信する。送信したリストを、もとの通信局装置１００が受信し、相手の通信局装置１００が共有していない分割データがあることを判別する。
【００５５】
Ｓ１３において、通信局装置１００の対通信局送信部１６１は、相手の通信局装置１００が共有していないと判断した分割データについて、その分割データが基地局２００に対して送信済であるか否かを判断する。
すなわち、フラグ記憶部１４２が記憶した送信済フラグ５４１を読み出し、送信済フラグ５４１が「０」なら、基地局２００に対して送信済であると判断する。
なお、例えば、Ｓ１２において、他の通信局装置１００に対して送信する分割データのリストから、送信済の分割データを除くこととしておけば、相手の通信局装置１００から送信される未共有データのリストには、送信済データは含まれないこととなるので、Ｓ１３はなくてもよい。
【００５６】
Ｓ１４において、通信局装置１００の対通信局送信部１６１は、相手の通信局装置１００に対し、未送信の分割データを送信する。
【００５７】
なお、近距離通信の容量に余裕がある場合には、相手の通信局装置１００がその分割データを既に記憶しているかいないかを判別せず、データ記憶部１４１が記憶している分割データを送信することとしてもよい。
また、その分割データが基地局２００に対して送信済か否かを判別せず、他の通信局装置１００に分割データを送信することとしてもよい。そうすれば、なんらかの理由で、基地局２００に対して分割データを再送する必要が生じた場合に、任意の通信局装置１００が再送を行うことができる。
【００５８】
以上の処理を、通信可能な他の通信局装置１００ごとに、繰り返す。
【００５９】
なお、一つの通信局装置１００について、送信する分割データが複数ある場合には、一つの通信局装置１００に対して、複数の分割データを送信し、その後、他の通信局装置１００についての送信を行うこととしてもよい。あるいは、１つの分割データを送信したのち、他の通信局装置１００に対する送信を行い、通信可能な通信局装置１００が一周してから、次の分割データを送信することとしてもよい。
その場合、二番目の通信局装置１００には、最初の通信局装置１００に対して送信した分割データとは異なる分割データを送信することとしてもよい。そうすれば、最初の通信局装置１００が、先に送信した分割データを基地局２００に対して送信した場合には、同じ分割データを二番目の通信局装置１００に送信する必要がなくなり、好ましい。
【００６０】
また、この例では、通信局装置１００同士が一対一で通信することとしているが、同時に通信可能な複数の通信局装置１００に対して、一対多で（ブロードキャスト）通信する構成であってもよい。そうすれば、同じ分割データの送信を一回で済ませることができ、好ましい。
【００６１】
図６は、この実施の形態において、通信局装置１００のデータ送信工程（対基地局送信工程）における制御の流れの一例を示すフローチャート図である。
データ送信工程は、基地局２００に対して送信すべき分割データ５３０を、実際に、基地局２００に対して送信する工程である。
【００６２】
Ｓ２１において、データ選択部１１１が、データ記憶部１４１の記憶している分割データのなかから、基地局２００に対して未送信のデータを選択する。
すなわち、フラグ記憶部１４２が記憶した送信済フラグ５４１を読み出し、送信済フラグ５４１が「１」である分割データを選択する。
データ記憶部１４１が記憶した分割データがない場合や、すべて送信済である場合には、選択すべき分割データがないので、データ送信は行わない。情報入力部１２１が新たな情報を入力することにより、新たな分割データが生成されるか、データ受信部１７１が、他の通信局装置１００から、未送信の分割データを受信して、データ記憶部１４１に未送信の分割データが記憶されるまで、データ選択部１１１は休眠する。
データ記憶部１４１が記憶した未送信の分割データが複数ある場合には、前述したように、そのなかから任意の分割データを選択する。
【００６３】
Ｓ２２において、第一のフラグ書換部１１２が、データ選択部１１１が選択した分割データについての送信済フラグを「送信済」（＝「０」）に書き換えて、フラグ記憶部１４２に記憶させる。
【００６４】
Ｓ２３において、フラグ送信部１６２が、フラグ記憶部１４２が記憶した送信済フラグを、近距離送信装置１０６を用いて送信する。送信した送信済フラグは、他の通信局装置１００が受信する。
【００６５】
Ｓ２４において、対基地局送信部１５１が、データ選択部１１１が選択した分割データを、遠距離送信装置１０５を用いて送信する。送信した分割データは、衛星局３００が受信、中継（増幅）、送信して、基地局２００に到達する。
【００６６】
なお、Ｓ２３は、Ｓ２４のあとでもよい。そうすれば、なんらかの理由で、基地局２００に対する送信に失敗した場合、他の通信局装置１００は、その分割データがまだ基地局２００に対して送信されていないと判別するので、データの欠落を防ぐことができて、好ましい。
しかし、基地局２００に対する送信前に、送信済フラグを他の通信局装置１００に対して送信するほうが、他の通信局装置１００が同じ分割データを基地局２００に対して並行して送信するのを防ぐことができるので、好ましい。
【００６７】
あるいは、送信済フラグの送信は、基地局２００に対する送信が終わったあとで行うこととし、基地局２００に対する送信前に、送信しようとしている分割データの分割番号を、他の通信局装置１００に対して送信することにより、並行して同じ分割データを基地局２００に対して送信しようとするのを防ぐこととしてもよい。
その場合、同じ分割データを基地局２００に対して送信しようとしている通信局装置１００が複数ある場合には、何らかの調整方式により、１つの通信局装置１００だけが、その分割データを送信し、他の通信局装置１００は、別の分割データを送信することとしてもよい。
例えば、送信しようとしている分割データの分割番号とともに、優先順位を示す数を送信し、その数が一番大きい通信局装置１００が、その分割データを送信することとしてもよい。すなわち、自分が送信した分割番号と同じ分割番号で、優先順位を示す数が大きいものを受信した場合には、その分割データの送信を中止し、他の分割データを送信する。
優先順位を示す数は、例えば、通信局装置１００の製造番号を用いてもよいし、その都度、ランダムに発生させた数を用いてもよい。あるいは、データ記憶部１４１が記憶している未送信データの数が少ない場合に、優先順位が高くなるようにしてもよい。
【００６８】
図７は、この実施の形態において、通信局装置１００のフラグ受信工程における制御の流れの一例を示すフローチャート図である。
フラグ受信工程は、他の通信局装置１００が送信した送信済フラグを受信し、受信した送信済フラグに基づいて、必要な処理を行う工程である。
【００６９】
Ｓ３１において、通信局装置１００のフラグ受信部１７２は、他の通信局装置１００のフラグ送信部１６２が（Ｓ２３またはＳ３４で）送信した送信済フラグを、近距離受信装置１０７を用いて受信する。
【００７０】
Ｓ３２において、通信局装置１００の第二のフラグ書換部１１３は、Ｓ３１でフラグ受信部１７２が受信した送信済フラグと、フラグ記憶部１４２が記憶した送信済フラグとを比較し、異なっていれば、以下の処理を行う。
【００７１】
Ｓ３３において、通信局装置１００の第二のフラグ書換部１１３は、送信済フラグを書き換えて、フラグ記憶部１４２に記憶させる。
【００７２】
Ｓ３４において、フラグ送信部１６２は、フラグ記憶部１４２が記憶した送信済フラグを、近距離送信装置１０６を用いて、他の通信局装置１００に対して送信する。
これは、フラグ受信部１７２が受信した送信済フラグを送信した通信局装置１００から、直接通信できない通信局装置１００に対して、リレー式に送信済フラグを伝達するためである。したがって、フラグ受信部１７２が受信した送信済フラグを送信した通信局装置１００に対しては、送信済フラグを送信しなくてよい。
【００７３】
図８〜図１０は、この実施の形態において、情報収集局１００ａが収集した情報を、情報収集局１００ａ及び近隣移動局１００ｂ，ｃ，ｄ，ｚが協力して、基地局２００に対して送信する様子の一例を示す図である。
【００７４】
図８（ａ）において、情報収集局１００ａは、近隣移動局１００ｂ，ｚと直接、近距離送信装置１０６、近距離受信装置１０７による近距離通信が可能な距離にある。
近隣移動局１００ｃは、近隣移動局１００ｚと近距離通信が可能な距離にある。
近隣移動局１００ｄは、離れたところにあり、情報収集局１００ａ及び近隣移動局１００ｂ，ｃ，ｚと近距離通信することができない。
また、情報収集局１００ａ、近隣移動局１００ｂ，ｚは、停止している。一方、近隣移動局１００ｃ，ｄは、矢印方向に移動している。
近隣移動局１００ｚは、遠距離送信装置１０５が使用中、あるいは故障中、あるいは装備していないため、基地局２００に対する送信を行わない。しかし、分割データ５３０や送信済フラグ５４１を他の近隣移動局に中継することにより、情報収集局１００ａが収集した情報の送信に協力する。
【００７５】
情報収集局１００ａは、情報入力部１２１が収集した情報から、分割データ５３０（＃１〜＃８）を生成し、データ記憶部１４１が記憶している。
【００７６】
図８（ｂ）において、情報収集局１００ａのデータ選択部１１１は、未送信の分割データ５３０（＃１〜＃８）のなかから、分割データ５３０（＃１）を選択したとする。
情報収集局１００ａの第一のフラグ書換部１１２は、分割データ５３０（＃１）の送信済フラグ５４１を「０」にする。
情報収集局１００ａの対基地局送信部１５１は、衛星局３００に対して分割データ５３０（＃１）を送信する。
【００７７】
また、情報収集局１００ａのフラグ送信部１６２は、通信可能な近隣移動局１００ｂ，ｚに対して送信済フラグ５４１を送信する。
近隣移動局１００ｂ，ｚのフラグ受信部１７２は、送信済フラグ５４１を受信する。
近隣移動局１００ｂ，ｚの第二のフラグ書換部１１３は、受信した送信済フラグ５４１に基づいて、フラグ記憶部１４２が記憶した送信済フラグを書き換える。
近隣移動局１００ｂは、情報収集局１００ａ以外に通信可能な近隣移動局がないので、送信済フラグ５４１を送信しない。
近隣移動局１００ｚのフラグ送信部１６２は、情報収集局１００ａ以外に通信可能な近隣移動局１００ｃに対して、送信済フラグ５４１を送信する。
近隣移動局１００ｃのフラグ受信部１７２は、送信済フラグ５４１を受信する。
近隣移動局１００ｃの第二のフラグ書換部１１３は、受信した送信済フラグ５４１に基づいて、フラグ記憶部１４２が記憶した送信済フラグを書き換える。
これにより、情報収集局１００ａ及び近隣移動局１００ｂ，ｃ，ｚは、分割データ５３０（＃１）が送信済であるという情報を共有する。
【００７８】
対基地局送信部１５１の送信と並行して、情報収集局１００ａの対通信局送信部１６１は、通信可能な近隣移動局に対しても分割データ５３０を送信する。
いま、通信可能な近隣移動局１００ｂ，ｚは、分割データ５３０を記憶していない。
また、分割データ５３０（＃１）は、送信済フラグが「０」なので、残りの分割データ５３０（＃２〜＃８）を、近隣移動局１００ｂ，ｚに対して送信する。
【００７９】
そこで、まず、情報収集局１００ａの対通信局送信部１６１は、近隣移動局１００ｂに対して分割データ５３０（＃２）を送信する。
近隣移動局１００ｂのデータ受信部１７１は、情報収集局１００ａが送信した分割データ５３０（＃２）を受信する。
近隣移動局１００ｂのデータ記憶部１４１は、データ受信部１７１が受信した分割データ５３０（＃２）を記憶する。
【００８０】
図８（ｃ）において、近隣移動局１００ｂのデータ選択部１１１は、未送信の分割データ５３０（＃２）を選択する。
近隣移動局１００ｂの第一のフラグ書換部１１２は、分割データ５３０（＃２）の送信済フラグ５４１を「０」にする。
近隣移動局１００ｂの対基地局送信部１５１は、衛星局３００に対して分割データ５３０（＃２）を送信する。
【００８１】
また、近隣移動局１００ｂのフラグ送信部１６２は、通信可能な情報収集局１００ａに対して送信済フラグ５４１を送信する。
情報収集局１００ａのフラグ受信部１７２は、送信済フラグ５４１を受信する。
情報収集局１００ａの第二のフラグ書換部１１３は、受信した送信済フラグ５４１に基づいて、フラグ記憶部１４２が記憶した送信済フラグを書き換える。
情報収集局１００ａのフラグ送信部１６２は、近隣移動局１００ｚに対して、送信済フラグ５４１を送信する。
近隣移動局１００ｚのフラグ受信部１７２は、送信済フラグ５４１を受信する。
近隣移動局１００ｚの第二のフラグ書換部１１３は、受信した送信済フラグ５４１に基づいて、フラグ記憶部１４２が記憶した送信済フラグを書き換える。
近隣移動局１００ｚのフラグ送信部１６２は、情報収集局１００ａ以外に通信可能な近隣移動局１００ｃに対して、送信済フラグ５４１を送信する。
近隣移動局１００ｃのフラグ受信部１７２は、送信済フラグ５４１を受信する。
近隣移動局１００ｃの第二のフラグ書換部１１３は、受信した送信済フラグ５４１に基づいて、フラグ記憶部１４２が記憶した送信済フラグを書き換える。
これにより、情報収集局１００ａ及び近隣移動局１００ｂ，ｃ，ｚは、分割データ５３０（＃１、＃２）が送信済であるという情報を共有する。
【００８２】
情報収集局１００ａの対通信局送信部１６１は、近隣移動局１００ｚに対して分割データ５３０（＃３）を送信する。
近隣移動局１００ｚのデータ受信部１７１は、情報収集局１００ａが送信した分割データ５３０（＃３）を受信する。
近隣移動局１００ｚのデータ記憶部１４１は、データ受信部１７１が受信した分割データ５３０（＃３）を記憶する。
【００８３】
図８（ｄ）において、情報収集局１００ａの対通信局送信部１６１は、近隣移動局１００ｂに対して分割データ５３０（＃４）を送信する。
近隣移動局１００ｂのデータ受信部１７１は、情報収集局１００ａが送信した分割データ５３０（＃４）を受信する。
近隣移動局１００ｂのデータ記憶部１４１は、データ受信部１７１が受信した分割データ５３０（＃４）を記憶する。
【００８４】
また、近隣移動局１００ｚの対通信局送信部１６１は、近隣移動局１００ｃに対して分割データ５３０（＃３）を送信する。
近隣移動局１００ｃのデータ受信部１７１は、情報収集局１００ａが送信した分割データ５３０（＃３）を受信する。
近隣移動局１００ｃのデータ記憶部１４１は、データ受信部１７１が受信した分割データ５３０（＃３）を記憶する。
【００８５】
図８（ｅ）において、近隣移動局１００ｃのデータ選択部１１１は、未送信の分割データ５３０（＃３）を選択する。
近隣移動局１００ｃの第一のフラグ書換部１１２は、分割データ５３０（＃３）の送信済フラグ５４１を「０」にする。
近隣移動局１００ｃの対基地局送信部１５１は、衛星局３００に対して分割データ５３０（＃３）を送信する。
【００８６】
また、近隣移動局１００ｃのフラグ送信部１６２は、近隣移動局１００ｚに対して送信済フラグ５４１を送信する。これがリレー式に伝わって、情報収集局１００ａ及び近隣移動局１００ｂ，ｃ，ｚは、分割データ５３０（＃１、＃２、＃３）が送信済であるという情報を共有する。
【００８７】
情報収集局１００ａの対通信局送信部１６１は、近隣移動局１００ｚに対して分割データ５３０（＃５）を送信する。
近隣移動局１００ｚのデータ受信部１７１は、情報収集局１００ａが送信した分割データ５３０（＃５）を受信する。
近隣移動局１００ｚのデータ記憶部１４１は、データ受信部１７１が受信した分割データ５３０（＃５）を記憶する。
【００８８】
図８（ｆ）において、情報収集局１００ａの対通信局送信部１６１は、近隣移動局１００ｂに対して分割データ５３０（＃６）を送信する。
近隣移動局１００ｂのデータ受信部１７１は、情報収集局１００ａが送信した分割データ５３０（＃６）を受信する。
近隣移動局１００ｂのデータ記憶部１４１は、データ受信部１７１が受信した分割データ５３０（＃６）を記憶する。
【００８９】
また、近隣移動局１００ｚの対通信局送信部１６１は、近隣移動局１００ｃに対して分割データ５３０（＃５）を送信する。
近隣移動局１００ｃのデータ受信部１７１は、情報収集局１００ａが送信した分割データ５３０（＃５）を受信する。
近隣移動局１００ｃのデータ記憶部１４１は、データ受信部１７１が受信した分割データ５３０（＃５）を記憶する。
【００９０】
図９（ａ）において、情報収集局１００ａの対通信局送信部１６１は、近隣移動局１００ｚに対して分割データ５３０（＃７）を送信する。
近隣移動局１００ｚのデータ受信部１７１は、情報収集局１００ａが送信した分割データ５３０（＃７）を受信する。
近隣移動局１００ｚのデータ記憶部１４１は、データ受信部１７１が受信した分割データ５３０（＃７）を記憶する。
【００９１】
図９（ｂ）において、近隣移動局１００ｃの移動により、近隣移動局１００ｃと近隣移動局１００ｚとの間のリンクが切断する。
【００９２】
情報収集局１００ａの対通信局送信部１６１は、近隣移動局１００ｂに対して分割データ５３０（＃８）を送信する。
近隣移動局１００ｂのデータ受信部１７１は、情報収集局１００ａが送信した分割データ５３０（＃８）を受信する。
近隣移動局１００ｂのデータ記憶部１４１は、データ受信部１７１が受信した分割データ５３０（＃８）を記憶する。
【００９３】
図９（ｃ）において、近隣移動局１００ｃ，ｄの移動により、近隣移動局１００ｃと近隣移動局１００ｄとの間のリンクが確立する。
【００９４】
情報収集局１００ａのデータ記憶部１４１が記憶している分割データ５３０のうち、近隣移動局１００ｚのデータ記憶部１４１が記憶していないものは、分割データ５３０（＃１，＃２，＃４，＃６，＃８）である。このうち、基地局２００に対して未送信なのは、分割データ５３０（＃４，＃６，＃８）である。
【００９５】
情報収集局１００ａのデータ記憶部１４１が記憶している分割データ５３０のうち、近隣移動局１００ｂのデータ記憶部１４１が記憶していないものは、分割データ５３０（＃１，＃３，＃５，＃７）である。このうち、基地局２００に対して未送信なのは、分割データ５３０（＃５，＃７）である。
【００９６】
そこで、情報収集局１００ａの対通信局送信部１６１は、近隣移動局１００ｚに対して分割データ５３０（＃４）を送信する。
近隣移動局１００ｚのデータ受信部１７１は、情報収集局１００ａが送信した分割データ５３０（＃４）を受信する。
近隣移動局１００ｚのデータ記憶部１４１は、データ受信部１７１が受信した分割データ５３０（＃４）を記憶する。
【００９７】
図９（ｄ）において、情報収集局１００ａの対通信局送信部１６１は、近隣移動局１００ｂに対して分割データ５３０（＃５）を送信する。
近隣移動局１００ｂのデータ受信部１７１は、情報収集局１００ａが送信した分割データ５３０（＃５）を受信する。
近隣移動局１００ｂのデータ記憶部１４１は、データ受信部１７１が受信した分割データ５３０（＃５）を記憶する。
【００９８】
また、近隣移動局１００ｃの対通信局送信部１６１は、近隣移動局１００ｄに対して分割データ５３０（＃５）を送信する。
近隣移動局１００ｄのデータ受信部１７１は、近隣移動局１００ｃが送信した分割データ５３０（＃５）を受信する。
近隣移動局１００ｄのデータ記憶部１４１は、データ受信部１７１が受信した分割データ５３０（＃５）を記憶する。
【００９９】
図９（ｅ）において、近隣移動局１００ｄのデータ選択部１１１は、未送信の分割データ５３０（＃５）を選択する。
近隣移動局１００ｄの第一のフラグ書換部１１２は、分割データ５３０（＃５）の送信済フラグ５４１を「０」にする。
近隣移動局１００ｄの対基地局送信部１５１は、衛星局３００に対して分割データ５３０（＃５）を送信する。
【０１００】
また、近隣移動局１００ｄのフラグ送信部１６２は、近隣移動局１００ｃに対して送信済フラグ５４１を送信する。これにより、近隣移動局１００ｃ，ｄは、分割データ５３０（＃５）が送信済であるという情報を共有する。しかし、情報収集局１００ａ、近隣移動局１００ｂ，ｚは、この情報を共有していない。
【０１０１】
情報収集局１００ａの対通信局送信部１６１は、近隣移動局１００ｚに対して分割データ５３０（＃６）を送信する。
近隣移動局１００ｚのデータ受信部１７１は、情報収集局１００ａが送信した分割データ５３０（＃６）を受信する。
近隣移動局１００ｚのデータ記憶部１４１は、データ受信部１７１が受信した分割データ５３０（＃６）を記憶する。
【０１０２】
図９（ｆ）において、情報収集局１００ａの対通信局送信部１６１は、近隣移動局１００ｂに対して分割データ５３０（＃７）を送信する。
近隣移動局１００ｂのデータ受信部１７１は、情報収集局１００ａが送信した分割データ５３０（＃７）を受信する。
近隣移動局１００ｂのデータ記憶部１４１は、データ受信部１７１が受信した分割データ５３０（＃７）を記憶する。
【０１０３】
図１０（ａ）において、情報収集局１００ａの対通信局送信部１６１は、近隣移動局１００ｚに対して分割データ５３０（＃８）を送信する。
近隣移動局１００ｚのデータ受信部１７１は、情報収集局１００ａが送信した分割データ５３０（＃８）を受信する。
近隣移動局１００ｚのデータ記憶部１４１は、データ受信部１７１が受信した分割データ５３０（＃８）を記憶する。
【０１０４】
図１０（ｂ）において、情報収集局１００ａの対基地局送信部１５１は、分割データ５３０（＃１）の送信を完了する。
【０１０５】
図１０（ｃ）において、情報収集局１００ａのデータ選択部１１１は、未送信の分割データ５３０（＃４）を選択する。
情報収集局１００ａの第一のフラグ書換部１１２は、分割データ５３０（＃４）の送信済フラグ５４１を「０」にする。
情報収集局１００ａの対基地局送信部１５１は、衛星局３００に対して分割データ５３０（＃４）を送信する。
【０１０６】
また、情報収集局１００ａのフラグ送信部１６２は、近隣移動局１００ｂ，ｚに対して送信済フラグ５４１を送信する。これにより、情報収集局１００ａ、近隣移動局１００ｂ，ｚは、分割データ５３０（＃４）が送信済であるという情報を共有する。しかし、近隣移動局１００ｃ，ｄは、この情報を共有していない。
【０１０７】
近隣移動局１００ｂの対基地局送信部１５１は、分割データ５３０（＃２）の送信を完了する。
【０１０８】
図１０（ｄ）において、近隣移動局１００ｄの移動により、近隣移動局１００ｚと近隣移動局１００ｄとの間のリンクが確立する。
【０１０９】
近隣移動局１００ｂのデータ選択部１１１は、未送信の分割データ５３０（＃６）を選択する。
近隣移動局１００ｂの第一のフラグ書換部１１２は、分割データ５３０（＃６）の送信済フラグ５４１を「０」にする。
近隣移動局１００ｂの対基地局送信部１５１は、衛星局３００に対して分割データ５３０（＃６）を送信する。
【０１１０】
近隣移動局１００ｂのフラグ送信部１６２は、情報収集局１００ａに対して送信済フラグ５４１を送信し、リレー式に伝搬する。
また、近隣移動局１００ｄと近隣移動局１００ｚとの間でも、送信済フラグ５４１が交換され、リレー式に伝搬する。
これにより、情報収集局１００ａ、近隣移動局１００ｂ，ｃ，ｄ，ｚは、分割データ５３０（＃１〜＃６）が送信済であるという情報を共有する。
【０１１１】
図１０（ｅ）において、近隣移動局１００ｚのデータ記憶部１４１が記憶している分割データ５３０のうち、近隣移動局１００ｄのデータ記憶部１４１が記憶していないものは、分割データ５３０（＃３，＃４，＃６〜＃８）である。このうち、基地局２００に対して未送信なのは、分割データ５３０（＃７，＃８）である。
【０１１２】
そこで、近隣移動局１００ｚの対通信局送信部１６１は、近隣移動局１００ｄに対して分割データ５３０（＃７）を送信する。
近隣移動局１００ｄのデータ受信部１７１は、近隣移動局１００ｚが送信した分割データ５３０（＃７）を受信する。
近隣移動局１００ｄのデータ記憶部１４１は、データ受信部１７１が受信した分割データ５３０（＃７）を記憶する。
【０１１３】
近隣移動局１００ｃの対基地局送信部１５１は、分割データ５３０（＃３）の送信を完了する。
【０１１４】
図１０（ｆ）において、近隣移動局１００ｃ，ｄの移動により、近隣移動局１００ｃと近隣移動局１００ｄとの間のリンクが切断する。
【０１１５】
近隣移動局１００ｚの対通信局送信部１６１は、近隣移動局１００ｄに対して分割データ５３０（＃８）を送信する。
近隣移動局１００ｄのデータ受信部１７１は、近隣移動局１００ｚが送信した分割データ５３０（＃８）を受信する。
近隣移動局１００ｄのデータ記憶部１４１は、データ受信部１７１が受信した分割データ５３０（＃８）を記憶する。
【０１１６】
近隣移動局１００ｃのデータ選択部１１１は、データ記憶部１４１が記憶している分割データ５３０（＃３，＃５）がすべて送信済なので、分割データ５３０を選択しない。したがって、近隣移動局１００ｃは、基地局２００に対して分割データ５３０を送信しない。
【０１１７】
以上の処理を、すべての分割データ５３０が送信されるまで行う。
【０１１８】
図１１は、この実施の形態において、基地局２００のデータ復元工程（最適信号合成工程）におけるデータ処理の流れの一例を示す図である。
【０１１９】
通信局装置１００が送信した分割データ５３０は、衛星局３００が受信する。衛星局３００は、受信した分割データ５３０を、増幅、周波数変換、もしくは、通信速度変換などを行い、基地局２００に対して、送信する。
【０１２０】
基地局２００の図示していないデータ受信部は、衛星局３００が送信した分割データ５３０を受信する。
【０１２１】
分割データ５３０には、分割番号５３１（＃１〜＃Ｎまでのフラグ）が付いて伝送されている。基地局２００では、この分割番号５３１をもとにして、もとの情報を再生・復元する。
【０１２２】
基地局２００の図示していないデータ並替え部は、データ受信部が受信した分割データ５３０（各移動局からの送信データ）を、分割番号５３１にしたがって、並べ替える。
【０１２３】
基地局２００の図示していないデータ復元部は、データ並替え部が並べ替えた分割データ５３０を結合して、大容量データ５２０を復元する。
【０１２４】
基地局２００の図示していないデータ復号部は、データ復元部が復元した大容量データ５２０を復号し、映像情報・音声情報５１０を取り出す。
あるいは、基地局２００の図示していないデータ再生部が、データ復元部が復元した大容量データを再生する。
【０１２５】
以上の処理により、情報収集局１００ａが情報源９０１から収集した情報が、基地局２００に伝送される。
【０１２６】
このように、複数の通信局装置１００（情報収集局１００ａ、近隣移動局１００ｂ，ｃ，ｄ，ｚ）が協力して、分割データ５３０を基地局２００に対して送信することにより、送信にかかる時間を短縮することができるという効果を奏する。
【０１２７】
十分な数の通信局装置１００の協力を得られれば、動画のリアルタイム送信も可能である。
【０１２８】
このように、近距離を無線伝送可能な高容量通信機能と長距離無線伝送が可能な小容量通信機能の両方を持った複数の端末（通信局装置）が一つの情報を近距離通信で共有し、分割した情報をそれぞれが小容量の長距離無線伝送をすることで多くの情報を早く正確に伝送することができるという効果を奏する。
【０１２９】
また、通信局装置１００は、基地局２００に対して送信する分割データについての情報を互いに通知しあい、未送信の分割データを選択して基地局２００に対して送信するので、各通信局装置１００が、自律的に送信すべき分割データを選択して送信できる。これにより、あらかじめ送信の分担を決める必要がなく、速やかにデータ送信を開始できるという効果を奏する。
【０１３０】
また、あらかじめ送信の分担を決めるのではなく、通信局装置１００同士が分割データを互いに近距離通信によって配信・共有しておき、基地局２００に対して送信できるときに、未送信の分割データを選択して送信するので、通信局装置１００の移動などにより、近距離通信によって分割データを共有できる通信局装置１００が変化したとしても、送信の分担を計算しなおす必要がないという効果を奏する。
【０１３１】
衛星局３００などの遠距離と通信するシステムにおいて、大容量のデータを送信するために通信速度を速くするには、大きな電力が必要となる。電波は伝搬距離に応じて減衰し、大容量のデータを伝送するにはその情報量に応じた電力が必要だからである。
自動車など発電能力、蓄電能力の限られた装置から画像などの大容量を長距離伝送する要求は多いが、専用車両を用いた衛星通信などは、価格も高価でアンテナのサイズも大きく一般的には普及していない。
逆に、近距離伝送であれば、限られた電力による通信であっても、大容量の通信が可能である。
【０１３２】
この実施の形態は、このような大容量・近距離通信機能と小容量・長距離通信機能とを有する複数の通信局装置を用いる。それぞれの機能を有する装置は、既存の技術が多数あり、製造コスト、運用コストともに低く抑えることができる。
【０１３３】
この実施の形態では、上記両方の機能を持った複数の通信局装置が、近距離通信によって大容量のデータを共有し、小容量に分割された情報をそれぞれが遠距離伝送することで大容量・遠距離伝送を実現する。
受信局では、これを再合成することで、大容量の情報を復元し、大容量情報の遠距離伝送が実現する。
【０１３４】
このような分割伝送方式は、例えば、交通事故現場の映像伝送などでの利用が考えられる。
【０１３５】
大容量・近距離通信機能、小容量・長距離通信機能は、ともに、それぞれ単独でも様々な用途があるため、この両方を備えた通信局装置は、多数普及することが予想される。
【０１３６】
このような装置にこの実施の形態の機能を備えておき、交通事故の発生などにより必要が生じたときに、近隣にある多数の通信局装置の協力を得て（例えば、送信手数料を支払うなど）情報送信を行うこととすれば、緊急事態に速やかに対処することができるようになる。
【０１３７】
以上のように、画像、動画などの大容量の情報を収集するためのカメラなどの装置（入力装置）と、これで得た情報を近距離に伝送可能な近距離無線伝送装置（近距離送信装置、近距離受信装置）と、小容量の情報を遠距離伝送可能な長距離無線伝送装置（遠距離送信装置）とをもった自動車が複数台存在する時に、近距離無線装置で各自動車が大容量の情報を共有し、それぞれがこの大容量の情報を分割した小容量の情報ごとに長距離無線伝送装置を用いて長距離無線伝送する。
長距離無線伝送信号を受信した基地局は各自動車からの小容量情報を収集し合成することで大容量の情報を復元することができる。
これにより、大きな通信設備を持たない自動車だけで大容量の情報を長距離無線伝送できることから短時間に大容量の情報を遠隔地にて収集できる。
【０１３８】
実施の形態２．
実施の形態２を、図１〜図１３を用いて説明する。
【０１３９】
図１は、この実施の形態における、通信システム８００の全体構成の一例を示すシステム構成図である。
図２は、この実施の形態における通信局装置１００（情報収集局１００ａ、近隣移動局１００ｂ，１００ｃ）のハードウェア構成の一例を示すハードウェア構成図である。
図３は、この実施の形態における通信局装置１００の機能ブロックの構成の一例を示すブロック構成図である。
【０１４０】
この実施の形態における通信システム８００、通信局装置１００などの構成は、実施の形態１で説明したものとほぼ同様なので、異なる部分のみを説明する。
【０１４１】
符号化部１２２は、情報入力部１２１が入力した情報を符号化し、原データとする。例えば、カメラ１０２が撮影した映像情報を、ＭＰＥＧ（Ｍｏｖｉｎｇ  Ｐｉｃｔｕｒｅ  Ｅｘｐｅｒｔｓ  Ｇｒｏｕｐ）などの方式により、圧縮する。
符号化部１２２は、更に、圧縮した情報を、ＲＳ（Ｒｅｅｄ−Ｓｏｌｏｍｏｎ）符号、エルミート符号、ＬＤＰＣ符号（Ｌｏｗ  Ｄｅｎｓｉｔｙ  Ｐａｒｉｔｙ  Ｃｈｅｃｋ  Ｃｏｄｅ）などの消失訂正符号化方式により、符号化する。
【０１４２】
ここで、消失訂正符号とは、誤り訂正符号の一種であり、データの一部が通信経路中で消失した場合に、消失したデータを復元できるようにしたものである。
【０１４３】
情報収集局１００ａは、符号化部１２２が消失訂正符号化した原データをもとに、データ分割部１３１が分割データを生成する。生成した分割データを、対基地局送信部１５１が基地局２００に対して遠距離送信装置１０５を用いて送信し、対通信局送信部１６１が他の通信局装置１００に対して近距離送信装置１０６を用いて送信する。
【０１４４】
図１２は、この実施の形態において、近隣移動局１００ｂが、分割データ５３０を衛星局３００に送信しようとした際、なんらかのトラブル（通信障害）により、分割データ５３０（例えば、分割番号＃３）を送信できなかった場合を示す図である。
分割データ５３０を送信できない場合としては、複数の近隣移動局のうちの一部が、木の陰、ビルの陰、トンネルなどによって衛星との見通しが遮られた場合などがある。
【０１４５】
図１３は、この実施の形態において、基地局２００のデータ復元工程におけるデータ処理の流れの一例を示す図である。
【０１４６】
通信局装置１００が送信した分割データ５３０は、衛星局３００が受信する。衛星局３００は、受信した分割データ５３０を、増幅、周波数変換、もしくは、通信速度変換などを行い、基地局２００に対して、送信する。
【０１４７】
基地局２００の図示していないデータ受信部は、衛星局３００が送信した分割データ５３０を受信する。
【０１４８】
基地局２００の図示していないデータ並替え部は、データ受信部が受信した分割データ５３０を、分割番号５３１にしたがって、並べ替える。
このとき、分割データ５３０の一部が欠落していることがわかる（この例でいえば、分割データ５３０（＃３）が伝送中に消失している）。
【０１４９】
しかし、もとのデータは消失訂正符号化されているので、分割データ５３０（＃３）が欠落していても、大容量データ５２０を復元することができる。
【０１５０】
基地局２００の図示していないデータ復元部は、一部欠落した分割データ５３０を結合して、大容量データ５２０を復元する。
【０１５１】
基地局２００の図示していないデータ復号部は、データ復元部が復元した大容量データ５２０を復号し、映像情報・音声情報５１０を取り出す。
あるいは、基地局２００の図示していないデータ再生部が、データ復元部が復元した大容量データを再生する。
【０１５２】
以上の処理により、情報収集局１００ａが情報源９０１から収集した情報が、基地局２００に伝送される。
【０１５３】
このように、情報源９０１からの情報を情報収集局１００ａが収集した後、大容量データを送信する時に内部で消失訂正符号などの符号化を行い、情報収集局１００ａを含む近隣移動局１００ｂ，ｃはこの符号の符号長ごとのパケットを小容量通信で衛星局３００を介して基地局２００に伝送（送信）することにより、近隣移動局のうちのどれかが送信できず、小容量データ（分割データ５３０）の中に欠落が生じた場合であっても、消失訂正符号の働きによりある一定の数以上のパケット（分割データ５３０）を受信していれば、大容量データ５２０（原データ）を再現（復元）でき、もとの情報を再生することができるという効果を奏する。
【０１５４】
このように、大容量情報を取得した自動車が情報を近距離通信にて伝送する際に、消失訂正符号などの符号化を合わせて行なった後に近距離通信を行い、各自動車は符号化された情報を個々に長距離伝送することにより、ブロッキングなどの影響によって長距離通信が出来ない自動車が存在しても受信側で基の情報を再生でき、伝送品質の向上が図れるという効果を奏する。
【図面の簡単な説明】
【０１５５】
【図１】実施の形態１及び実施の形態２における、通信システム８００の全体構成の一例を示すシステム構成図。
【図２】実施の形態１及び実施の形態２における通信局装置１００（情報収集局１００ａ、近隣移動局１００ｂ，１００ｃ）のハードウェア構成の一例を示すハードウェア構成図。
【図３】実施の形態１及び実施の形態２における通信局装置１００の機能ブロックの構成の一例を示すブロック構成図。
【図４】実施の形態１において、通信局装置１００の情報入力工程におけるデータ処理の流れの一例を示す図。
【図５】実施の形態１において、通信局装置１００のデータ共有工程（対通信局送信工程）における制御の流れの一例を示すフローチャート図。
【図６】実施の形態１において、通信局装置１００のデータ送信工程（対基地局送信工程）における制御の流れの一例を示すフローチャート図。
【図７】実施の形態１において、通信局装置１００のフラグ受信工程における制御の流れの一例を示すフローチャート図。
【図８】実施の形態１において、情報収集局１００ａが収集した情報を、情報収集局１００ａ及び近隣移動局１００ｂ，ｃ，ｄ，ｚが協力して、基地局２００に対して送信する様子の一例を示す図。
【図９】実施の形態１において、情報収集局１００ａが収集した情報を、情報収集局１００ａ及び近隣移動局１００ｂ，ｃ，ｄ，ｚが協力して、基地局２００に対して送信する様子の一例を示す図。
【図１０】実施の形態１において、情報収集局１００ａが収集した情報を、情報収集局１００ａ及び近隣移動局１００ｂ，ｃ，ｄ，ｚが協力して、基地局２００に対して送信する様子の一例を示す図。
【図１１】実施の形態１において、基地局２００のデータ復元工程（最適信号合成工程）におけるデータ処理の流れの一例を示す図。
【図１２】実施の形態２において、近隣移動局１００ｂが、分割データ５３０を衛星局３００に送信しようとした際、なんらかのトラブル（通信障害）により、分割データ５３０を送信できなかった場合を示す図。
【図１３】実施の形態２において、基地局２００のデータ復元工程におけるデータ処理の流れの一例を示す図。
【符号の説明】
【０１５６】
１００  通信局装置、１００ａ  情報収集局、１００ｂ〜１００ｄ，１００ｚ  近隣移動局、１０１  ＣＰＵ、１０２  カメラ、１０３  マイク、１０４  メモリ、１０５  遠距離送信装置、１０６  近距離送信装置、１０７  近距離受信装置、１１１  データ選択部、１１２  第一のフラグ書換部、１１３  第二のフラグ書換部、１２１  情報入力部、１２２  符号化部、１３１  データ分割部、１３２  フラグ生成部、１４１  データ記憶部、１４２  フラグ記憶部、１５１  対基地局送信部、１６１  対通信局送信部、１６２  フラグ送信部、１７１  データ受信部、１７２  フラグ受信部、２００  基地局、３００  衛星局、５１０  映像情報・音声情報、５２０  大容量データ、５３０  分割データ、５３１  分割番号、５３２  小容量データ、５４１  送信済フラグ、８００  通信システム、９０１  情報源。
【図１】
2007060450.tif 000003
【図２】
2007060450.tif 000004
【図３】
2007060450.tif 000005
【図４】
2007060450.tif 000006
【図５】
2007060450.tif 000007
【図６】
2007060450.tif 000008
【図７】
2007060450.tif 000009
【図８】
2007060450.tif 000010
【図９】
2007060450.tif 000011
【図１０】
2007060450.tif 000012
【図１１】
2007060450.tif 000013
【図１２】
2007060450.tif 000014
【図１３】
2007060450.tif 000015